(57)【要約】【課題】顧客ごとに最適なレシピを提供し、顧客が選択したレシピを作るのに必要な食材を簡易に購買できるようにする。【解決手段】食材購買支援装置１は、各顧客を、少なくとも過去の食材購買実績に基づいて複数のタイプに分類するタイプ分類部２と、各顧客に対応するタイプに見合った推奨レシピを提供する推奨レシピ提供部３と、推奨レシピを含めた複数のレシピの中からレシピを選択するレシピ選択部４と、各オンラインショップが取り扱っている食材商品の情報を記憶する食材情報記憶部５と、レシピ選択部４で選択されたレシピを作るのに必要な食材商品の情報を提供するレシピ関連食材提供部６と、レシピ関連食材提供部で提供された食材商品の情報に基づいて、選択されたレシピに関連する食材商品の購買予約を行う食材購買予約部７と、購買予約を行った食材商品の情報をオンラインショップ上の仮想的な買い物かごに含める制御を行う買い物かご更新制御部８と、を備える。【選択図】図１
2014093064.tif 000002
【特許請求の範囲】
【請求項１】
オンラインショップで食材を購買する顧客のそれぞれを、少なくとも過去の食材購買実績に基づいて複数のタイプに分類するタイプ分類部と、
各顧客に対応する前記タイプに見合った推奨レシピを提供する推奨レシピ提供部と、
前記推奨レシピを含めた複数のレシピの中から、少なくとも一つのレシピを選択するレシピ選択部と、
オンラインショップのそれぞれごとに、取り扱っている食材商品の情報を記憶する食材情報記憶部と、
オンラインショップが取り扱っている食材商品の情報を前記食材情報記憶部から読み出して、前記レシピ選択部で選択されたレシピを作るのに必要な食材商品の情報を提供するレシピ関連食材提供部と、
前記レシピ関連食材提供部で提供された食材商品の情報に基づいて、前記レシピ選択部で選択されたレシピに関連する食材商品の購買予約を行う食材購買予約部と、
前記食材購買予約部で購買予約を行った食材商品の情報を前記オンラインショップ上の仮想的な買い物かごに含める制御を行う買い物かご更新制御部と、を備えることを特徴とする食材購買支援装置。
【請求項２】
オンラインショップが提供する商品選択画面内に、レシピ選択を行うためのリンク情報を表示させる第１リンク表示制御部と、
前記第１リンク表示制御部が表示させたリンク情報が選択されると、前記推奨レシピ提供部により提供される前記推奨レシピと、前記レシピ関連食材提供部により提供される前記推奨レシピを作るのに必要な食材商品の情報とを同一画面に表示させる推奨レシピ情報表示制御部と、を備えることを特徴とする請求項１に記載の食材購買支援装置。
【請求項３】
前記推奨レシピ情報表示制御部が画面表示を行った後に、前記レシピ選択部により前記推奨レシピとは異なるレシピが選択された場合には、前記選択されたレシピと、前記レシピ関連食材提供部により提供される前記選択されたレシピを作るのに必要な食材商品の情報とを同一画面に表示させる推奨レシピ変更情報表示制御部を備えることを特徴とする請求項２に記載の食材購買支援装置。
【請求項４】
複数のレシピの中から任意のレシピを選択するレシピ選択画面内に、選択されたレシピに関連する食材商品の購買予約を前記食材購買予約部にて行うためのリンク情報を表示させる第２リンク表示制御部と、
前記レシピ選択画面の表示に従ってレシピが選択されて、かつ前記第２リンク表示制御部が表示させたリンク情報が選択された場合に、選択されたレシピに関連する食材商品を購買可能で、かつ顧客の居住地に食材商品を配送可能なオンラインショップの一覧を表示させるショップ一覧表示制御部と、
前記ショップ一覧表示制御部が表示させたオンラインショップの中から一つを選択するショップ選択部と、
前記選択されたレシピと、前記レシピ関連食材提供部が提供する前記選択されたレシピを作るのに必要な食材商品の情報とを同一画面に表示させる選択レシピ情報表示制御部と、を備えることを特徴とする請求項１に記載の食材購買支援装置。
【請求項５】
前記選択レシピ情報表示制御部が表示させたレシピの選択を変更した場合には、前記推奨レシピ提供部により提供される前記推奨レシピと、前記レシピ関連食材提供部により提供される前記推奨レシピを作るのに必要な食材商品の情報とを同一画面に表示させる選択レシピ変更情報表示制御部を備えることを特徴とする請求項４に記載の食材購買支援装置。
【請求項６】
前記食材購買予約部で購買予約をして購買した回数を顧客ごとに管理する購買回数管理部と、
前記購買回数管理部で管理する各顧客の購買回数が所定回数に達したか否かを判定する購買回数判定部と、を備え、
前記タイプ分類部は、前記購買回数判定部により前記所定回数に達していないと判定された顧客に対しては、特定のタイプに分類することを特徴とする請求項１乃至５のいずれかに記載の食材購買支援装置。
【請求項７】
前記タイプ分類部は、所定の時間間隔ごとに、少なくとも各顧客の購買実績に基づいてタイプ分類を更新することを特徴とする請求項６に記載の食材購買支援装置。
【請求項８】
食材を複数のカテゴリーに分類して、各顧客が前記食材購買予約部で購買予約をして購買した金額の総額に対する各カテゴリーごとの金額の割合を計算するカテゴリー割合計算部を備え、
前記タイプ分類部は、少なくとも前記カテゴリー割合計算部で計算した各カテゴリーごとの割合に基づいて、各顧客を前記複数のタイプに分類することを特徴とする請求項１乃至７のいずれかに記載の食材購買支援装置。
【請求項９】
前記タイプ分類部は、少なくとも食事への関心度と調理への関心度とを考慮に入れて、かつ食事への関心度と調理への関心度とがいずれも高い場合には調理経験度を考慮に入れて、各顧客を前記複数のタイプに分類することを特徴とする請求項１乃至８のいずれかに記載の食材購買支援装置。
【請求項１０】
前記複数のタイプは、食事への関心は高いが、調理への関与が低いタイプと、食事や調理への関心は高いが、調理経験が浅いタイプと、食事や調理への関心が低いタイプと、食事や調理への関心が高く、調理経験も豊富なタイプとの少なくとも一つを含むことを特徴とする請求項９に記載の食材購買支援装置。
【請求項１１】
前記タイプ分類部は、顧客の過去の食材購買実績に加えて、過去のレシピ検索履歴とレシピ最終選択履歴との少なくとも一方に基づいて、各顧客を前記複数のタイプに分類することを特徴とする請求項１乃至１０のいずれかに記載の食材購買支援装置。
【請求項１２】
前記推奨レシピ提供部は、各タイプに属する顧客の食材の購買実績に基づいて、各タイプごとに前記推奨レシピを提供することを特徴とする請求項１乃至１１のいずれかに記載の食材購買支援装置。
【請求項１３】
前記推奨レシピ提供部は、季節、時間帯、利用するオンラインショップの品揃え、所定期間内に顧客が閲覧したレシピ、行事の少なくとも一つを考慮に入れて、各タイプごとに複数のレシピの中から選択した前記推奨レシピを提供することを特徴とする請求項１乃至１２のいずれかに記載の食材購買支援装置。
【請求項１４】
前記推奨レシピ提供部は、各顧客の年齢、性別、および家族構成の少なくとも一つを考慮に入れて、各タイプごとに複数のレシピの中から選択した前記推奨レシピを提供することを特徴とする請求項１乃至１３のいずれかに記載の食材購買支援装置。
【請求項１５】
各オンラインショップから定期的に送られて来る情報に基づいて、前記食材情報記憶部に記憶される食材商品の情報を定期的に更新する食材情報更新部を備えることを特徴とする請求項１乃至１４のいずれかに記載の食材購買支援装置。
【請求項１６】
前記食材購買予約部で購買予約を行う前に、前記レシピ関連食材提供部で提供される食材商品の情報と、オンラインショップの前記買い物かごに入っている商品の情報とを同一画面に表示させる買い物かご表示制御部を備えることを特徴とする請求項１乃至１５のいずれかに記載の食材購買支援装置。
【請求項１７】
前記レシピ関連食材提供部は、特定の販売者が提供する少なくとも一部の食材については、同じ食材を提供する他の販売者の食材商品の提供を禁止することを特徴とする請求項１乃至１６のいずれかに記載の食材購買支援装置。
【請求項１８】
前記レシピ関連食材提供部は、オンラインショップが取り扱っていない食材商品については、該当商品が存在しない旨の情報を提供することを特徴とする請求項１乃至１７のいずれかに記載の食材購買支援装置。
【請求項１９】
前記レシピ関連食材提供部は、前記レシピ選択部で選択されたレシピを作るのに必要な食材との関連性が高い順に、取り扱っている食材商品を表示させることを特徴とする請求項１乃至１８のいずれかに記載の食材購買支援装置。
【請求項２０】
オンラインショップで食材を購買する顧客のそれぞれを、少なくとも過去の食材購買実績に基づいて複数のタイプに分類するステップと、
各顧客に対応する前記タイプに見合った推奨レシピを提供するステップと、
前記推奨レシピを含めた複数のレシピの中から、少なくとも一つのレシピを選択するステップと、
オンラインショップのそれぞれごとに、取り扱っている食材商品の情報を食材情報記憶部に記憶するステップと、
オンラインショップが取り扱っている食材商品の情報を前記食材情報記憶部から読み出して、前記レシピ選択部で選択されたレシピを作るのに必要な食材商品の情報を提供するステップと、
前提供された食材商品の情報に基づいて、前記レシピ選択部で選択されたレシピに関連する食材商品の購買予約を行うステップと、
前記購買予約を行った食材商品の情報を前記オンラインショップ上の仮想的な買い物かごに含める制御を行うステップと、を備えることを特徴とする食材購買支援方法。
【請求項２１】
オンラインショップで食材を購買する顧客のそれぞれを、少なくとも過去の食材購買実績に基づいて複数のタイプに分類するステップと、
各顧客に対応する前記タイプに見合った推奨レシピを提供するステップと、
前記推奨レシピを含めた複数のレシピの中から、少なくとも一つのレシピを選択するステップと、
オンラインショップのそれぞれごとに、取り扱っている食材商品の情報を食材情報記憶部に記憶するステップと、
オンラインショップが取り扱っている食材商品の情報を前記食材情報記憶部から読み出して、前記レシピ選択部で選択されたレシピを作るのに必要な食材商品の情報を提供するステップと、
前提供された食材商品の情報に基づいて、前記レシピ選択部で選択されたレシピに関連する食材商品の購買予約を行うステップと、
前記購買予約を行った食材商品の情報を前記オンラインショップ上の仮想的な買い物かごに含める制御を行うステップと、をコンピュータに実行させるための食材購買支援プログラム。
【請求項２２】
オンラインショップで食材を購買する顧客のそれぞれを、少なくとも過去の食材購買実績に基づいて複数のタイプに分類するステップと、
各顧客に対応する前記タイプに見合った推奨レシピを提供するステップと、
前記推奨レシピを含めた複数のレシピの中から、少なくとも一つのレシピを選択するステップと、
オンラインショップのそれぞれごとに、取り扱っている食材商品の情報を食材情報記憶部に記憶するステップと、
オンラインショップが取り扱っている食材商品の情報を前記食材情報記憶部から読み出して、前記レシピ選択部で選択されたレシピを作るのに必要な食材商品の情報を提供するステップと、
前提供された食材商品の情報に基づいて、前記レシピ選択部で選択されたレシピに関連する食材商品の購買予約を行うステップと、
前記購買予約を行った食材商品の情報を前記オンラインショップ上の仮想的な買い物かごに含める制御を行うステップと、をコンピュータに実行させるための食材購買支援プログラムを記録した記録媒体。
【発明の詳細な説明】
【技術分野】
【０００１】
本発明は、レシピに関連した食材の購買支援を行う食材購買支援装置、食材購買支援方法、食材購買支援プログラム、および記録媒体に関する。
【背景技術】
【０００２】
ブロードバンド環境の普及に伴って、オンラインショッピングを行う人の数が急増している。このような背景の下で、スーパーマーケット（以下、スーパー）各社は、オンラインで商品を購買できる、いわゆるネットスーパーの取扱商品を拡充しており、ネットスーパーで購買した商品を迅速に顧客の自宅まで配送するサービスを行っているのが実情である。
【０００３】
その一方で、さまざまな献立メニューのレシピを提供するインターネットサイトも多数存在し、料理本がなくても、誰でもレシピを手軽に取得できるようになりつつある。また、レシピの検索等が簡易にできる種々のサービスも提供されている。例えば、特定の食材を入力すると、その食材を利用したお勧めメニューを紹介するサービスが提案されている（特許文献１参照）。また、各顧客の過去の商品購買履歴に基づいて料理を提案するサービスも提案されている（特許文献２参照）。
【０００４】
さらには、レシピ情報の提供とレシピに関連した商品の購買とを行えるようにしたサービスも提案されている（特許文献３、４参照）。例えば、特許文献３には、レシピ情報に含まれる材料を販売するサイトを自動検索して、そのリンク情報を表示するサービスが開示されている。また、特許文献４には、料理の食材を指定すると、指定された食材を使用する料理のレシピを表示したり、特定の店舗を利用する会員に対しては、その店舗で購買可能な商品を提供するサービスが開示されている。
【先行技術文献】
【特許文献】
【０００５】
【特許文献１】特許第３６６９５０８号公報
【特許文献２】特開２０１０−３０４５号公報
【特許文献３】特開２０１２−７３７９５号公報
【特許文献４】特開２００２−１３３２１８号公報
【発明の概要】
【発明が解決しようとする課題】
【０００６】
オンライン上でレシピを検索して、作りたいレシピが確定すると、そのレシピで必要とする食材をオンラインで注文することを希望する顧客は多数いるものと考えられる。ところが、実際には、ネットスーパーの商品発送地域は一般に限定されており、顧客の居住地によっては、オンラインでは食材を迅速に入手できない場合がありうる。ところが、上述した特許文献１〜４は、このような場合を想定していない。
【０００７】
また、顧客によって、料理に対する考え方や姿勢が種々異なっており、オンラインで豊富なレシピを提供するサービスがあったとしても、顧客が真に望むレシピを顧客に提供できるとは限らない。例えば、多忙な顧客や料理に対する関心の薄い顧客は、オンラインでレシピを検索する手間をできるだけ省きたいと考える。このような顧客には、豊富なレシピを提供しても無意味である。
【０００８】
その正反対に、新しい料理に積極的に挑戦してみたいという顧客も存在する。このような顧客は、既存のレシピでは満足せず、新たなレシピを次々に提供するのが望ましい。
【０００９】
このように、顧客によって、レシピの利用の仕方が大きく異なるため、画一的にレシピを提供しても、すべての顧客を満足させることはできない。ところが、上述した特許文献１〜４は、個々の顧客の料理に対する考え方や姿勢を考慮に入れて、顧客ごとに最適なレシピを提供するという着想がない。
【００１０】
例えば、特許文献１や２には、お勧めメニューを顧客に提案するサービスが開示されているが、従来は、顧客が指定した食材や顧客の過去の商品購買実績等の限られた条件でレシピの絞り込みを行っており、顧客の料理に対する考え方や姿勢は考慮に入れていなかったため、顧客が満足するメニュー提供できる保証はなかった。
【００１１】
本発明は、顧客ごとに最適なレシピを提供するとともに、顧客が選択したレシピを作るのに必要な食材を簡易に購買できるようにした食材購買支援装置を提供するものである。
【課題を解決するための手段】
【００１２】
上記の課題を解決するために、本発明の一態様では、オンラインショップで食材を購買する顧客のそれぞれを、少なくとも過去の食材購買実績に基づいて複数のタイプに分類するタイプ分類部と、
各顧客に対応する前記タイプに見合った推奨レシピを提供する推奨レシピ提供部と、
前記推奨レシピを含めた複数のレシピの中から、少なくとも一つのレシピを選択するレシピ選択部と、
オンラインショップのそれぞれごとに、取り扱っている食材商品の情報を記憶する食材情報記憶部と、
オンラインショップが取り扱っている食材商品の情報を前記食材情報記憶部から読み出して、前記レシピ選択部で選択されたレシピを作るのに必要な食材商品の情報を提供するレシピ関連食材提供部と、
前記レシピ関連食材提供部で提供された食材商品の情報に基づいて、前記レシピ選択部で選択されたレシピに関連する食材商品の購買予約を行う食材購買予約部と、
前記食材購買予約部で購買予約を行った食材商品の情報を前記オンラインショップ上の仮想的な買い物かごに含める制御を行う買い物かご更新制御部と、を備えることを特徴とする食材購買支援装置が提供される。
【００１３】
本発明の一態様では、各顧客を予め複数のタイプに分類することで、各顧客のタイプに見合った推奨レシピを提供できる。顧客が選択したレシピを作るのに必要な食材商品を、顧客が利用する予定のオンラインショップが取り扱っている食材商品の中から選択して顧客に提供するため、顧客は自分が選択したレシピを作るのに必要な食材商品をオンラインで注文できる。これにより、顧客が自ら食材を買いに行く手間が省ける。さらに、顧客が選択したレシピを作るのに必要な食材商品を、顧客が利用する予定のオンラインショップを介して注文できるため、どのようなレシピを作る際にも、使い慣れたオンラインショップを利用できる。
【発明の効果】
【００１４】
本発明によれば、顧客ごとに最適なレシピを提供できるとともに、顧客が選択したレシピを作るのに必要な食材をオンラインショップを介して簡易に購買できる。
【図面の簡単な説明】
【００１５】
【図１】本発明の一実施形態に係る食材購買支援装置１の概略構成を示すブロック図。
【図２】第１の条件により食材購買支援装置１が処理を開始する場合の処理手順の一例を示すフローチャート。
【図３】オンラインショップの初期画面の一例を示す図。
【図４】オンラインショップの商品選択画面の一例を示す図。
【図５】食材購買支援装置１のウェブサイト上の初期画面の一例を示す図。
【図６】買い物画面の一例を示す図。
【図７】買い物かごに入れた食材商品の総額を小計として表示する例を示す図。
【図８】オンラインショップの商品選択画面の一例を示す図。
【図９】買い物かごの詳細情報と金額を含む画面の一例を示す図。
【図１０】第２の条件により食材購買支援装置１が処理を開始する場合の処理手順の一例を示すフローチャート。
【図１１】レシピ提供サイトの初期（トップ）画面の一例を示す図。
【図１２】レシピの詳細情報を表す画面の一例を示す図。
【図１３】図１０のステップＳ２３の画面表示例を示す図。
【図１４】各タイプと、食事への関心度、調理への関心度および調理経験との対応関係の一例を示す図。
【発明を実施するための形態】
【００１６】
以下、本発明の実施の形態について、詳細に説明する。図１は本発明の一実施形態に係る食材購買支援装置１の概略構成を示すブロック図である。図１の食材購買支援装置１の少なくとも一部の機能は、ハードウェアで構成してもよいし、ソフトウェアで構成してもよい。ハードウェアで構成する場合は、複数の機器を組み合わせて食材購買支援装置１の処理を行ってもよいし、単独の機器で処理を行ってもよい。ソフトウェアで構成する場合は、例えば食材購買支援装置１の処理を行うコンピュータプログラムを不図示の記憶装置に格納しておき、このプログラムをコンピュータで読み出して実行してもよい。ここでいうコンピュータとは、プログラムを実行するプロセッサを内蔵した種々の情報処理装置を指す。
【００１７】
以下では、一例として、食材購買支援装置１の処理を行うコンピュータプログラムを、プロセッサを内蔵した情報処理装置で実行する場合について主に説明する。なお、本実施形態における情報処理装置とは、例えば、各顧客が所持するＰＣ、携帯電話、スマートフォン、およびタブレット端末などである。
【００１８】
より具体的な例としては、顧客が所持する情報処理装置でインターネットにアクセスして、食材購買支援装置１の処理を行うウェブサイト画面を開くと、食材購買支援装置１の処理が実行されることになる。
【００１９】
図１の食材購買支援装置１は、タイプ分類部２と、推奨レシピ提供部３と、レシピ選択部４と、食材情報記憶部５と、レシピ関連食材提供部６と、食材購買予約部７と、買い物かご更新制御部８と、を備えている。
【００２０】
タイプ分類部２は、ネットスーパー等のオンラインショップで食材を購買する顧客のそれぞれを、少なくとも過去の食材購買実績に基づいて複数のタイプに分類する。推奨レシピ提供部３は、各顧客に見合った推奨レシピを提供する。
【００２１】
食材情報記憶部５は、オンラインショップのそれぞれごとに、取り扱っている食材商品の情報を記憶する。
【００２２】
レシピ関連食材提供部６は、オンラインショップが取り扱っている食材商品の情報を食材情報記憶部５から読み出して、レシピ選択部４で選択されたレシピを作るのに必要な食材商品の情報を提供する。
【００２３】
買い物かご更新制御部８は、食材購買予約部７で購買予約を行った食材商品の情報をオンラインショップ上の仮想的な買い物かごに含める制御を行う。
【００２４】
この他、必須の構成部分ではないが、図１の食材購買支援装置１は、第１リンク表示制御部１１と、推奨レシピ情報表示制御部１２と、推奨レシピ変更情報表示制御部１３と、第２リンク表示制御部１４と、ショップ一覧表示制御部１５と、ショップ選択部１６と、選択レシピ情報表示制御部１７と、選択レシピ変更情報表示制御部１８と、購買回数管理部１９と、購買回数判定部２０と、カテゴリー割合計算部２１と、食材情報更新部２２と、買い物かご表示制御部２３と、の少なくとも一部を備えるのがより望ましい。
【００２５】
第１リンク表示制御部１１は、オンラインショップが提供する商品選択画面内に、レシピ選択を行うためのリンク情報を表示させる。推奨レシピ情報表示制御部１２は、第１リンク表示制御部１１が表示させたリンク情報が選択されると、推奨レシピ提供部３により提供される推奨レシピと、レシピ関連食材提供部６により提供される推奨レシピを作るのに必要な食材商品の情報とを同一画面に表示させる。
【００２６】
推奨レシピ変更情報表示制御部１３は、推奨レシピ情報表示制御部１２が画面表示を行った後に、レシピ選択部４により推奨レシピとは異なるレシピが選択された場合には、選択されたレシピと、レシピ関連食材提供部６により提供される選択されたレシピを作るのに必要な食材商品の情報とを同一画面に表示させる。
【００２７】
第２リンク表示制御部１４は、複数のレシピの中から任意のレシピを選択するレシピ選択画面内に、選択されたレシピに関連する食材商品の購買予約を食材購買予約部７にて行うためのリンク情報を表示させる。
【００２８】
ショップ一覧表示制御部１５は、レシピ選択画面の表示に従ってレシピが選択されて、かつ第２リンク表示制御部１４が表示させたリンク情報が選択された場合に、選択されたレシピに関連する食材商品を購買可能で、かつ顧客の居住地に食材商品を配送可能なオンラインショップの一覧を表示させる。ショップ選択部１６は、ショップ一覧表示制御部１５が表示させたオンラインショップの中から一つを選択する。選択レシピ情報表示制御部１７は、選択されたレシピと、レシピ関連食材提供部６が提供する選択されたレシピを作るのに必要な食材商品の情報とを同一画面に表示させる。
【００２９】
選択レシピ変更情報表示制御部１８は、選択レシピ情報表示制御部１７が表示させたレシピの選択を変更した場合には、推奨レシピ提供部３により提供される推奨レシピと、レシピ関連食材提供部６により提供される推奨レシピを作るのに必要な食材商品の情報とを同一画面に表示させる。
【００３０】
購買回数管理部１９は、食材購買予約部７で購買予約をして購買した回数を顧客ごとに管理する。購買回数判定部２０は、購買回数管理部１９で管理する各顧客の購買回数が所定回数に達したか否かを判定する。
【００３１】
カテゴリー割合計算部２１は、食材を複数のカテゴリーに分類して、各顧客が食材購買予約部７で購買予約をして購買した金額の総額に対する各カテゴリーごとの金額の割合を計算する。
【００３２】
食材情報更新部２２は、各オンラインショップから定期的に送られて来る情報に基づいて、食材情報記憶部５に記憶される食材商品の情報を定期的に更新する。
【００３３】
買い物かご表示制御部２３は、食材購買予約部７で購買予約を行う前に、レシピ関連食材提供部６で提供される食材商品の情報と、ショップ選択部１６で選択したオンラインショップの買い物かごに入っている商品の情報とを同一画面に表示させる。
【００３４】
図１の食材購買支援装置１が処理を開始する条件として以下の二つのいずれかの条件が考えられる。
【００３５】
第１の条件は、食材のオンライン販売を行うネットスーパー等のオンラインショップのウェブサイト上に、図１の食材購買支援装置１の処理を実行させるリンク情報を設けて、顧客がこのリンク情報を選択した場合である。
【００３６】
第２の条件は、任意に検索可能な複数のレシピを提供するレシピ提供サイト上に、図１の食材購買支援装置１の処理を実行させるリンク情報を設けて、顧客がこのリンク情報を選択した場合である。
【００３７】
図２は第１の条件により食材購買支援装置１が処理を開始する場合の処理手順の一例を示すフローチャートである。
【００３８】
まず、顧客は、特定のオンラインショップのウェブサイトにアクセスすると（ステップＳ１）、図３に示すような初期画面が表示されてログイン情報の入力を求められる。図３の画面構成は、オンラインショップにより種々異なるため、図３ではログイン情報の入力欄以外は簡略のために空白のフレーム領域で表している。
【００３９】
図３の画面上で顧客が正当なログイン情報を入力すると（ステップＳ２）、オンラインショップの商品選択画面が表示される（ステップＳ３）。
【００４０】
図４はオンラインショップの商品選択画面の一例を示す図である。商品選択画面は、オンラインショップ側で作成するため、オンラインショップごとに画面構成は異なっている。ただし、この画面内に、食材購買支援装置１のウェブサイトへのリンク情報ｂ０が例えばバナー広告として表示される点では共通する。なお、バナー広告以外の手法（例えば、下線付きの文字情報）でリンク情報ｂ０を表示してもよい。このリンク情報ｂ０の表示制御は、第１リンク表示制御部１１が行う。
【００４１】
顧客がこのリンク情報ｂ０を選択すると、食材購買支援装置１のウェブサイトに移動し、図１の食材購買支援装置１の処理が開始されて、まず初期（トップ）画面が表示される（ステップＳ４）。この初期画面の表示制御は、推奨レシピ情報表示制御部１２が行う。
【００４２】
図５は食材購買支援装置１のウェブサイト上の初期画面の一例を示す図である。この画面には、推奨レシピ提供部３が提供する推奨レシピの完成写真画像を表示する領域ｄ１と、推奨レシピに必要な材料（食材）を表示する領域ｄ２と、推奨レシピに必要な食材の購買を指示するボタンｂ１と、顧客が最近閲覧したレシピを表示する領域ｄ３と、人気のあるレシピをランキング順に表示する領域ｄ４とが設けられている。
【００４３】
この他、初期画面には、推奨レシピ以外のレシピを選択するためのいくつかのボタンや入力欄が表示される。例えば、任意のキーワードを入力する欄ｉ１と、この欄に入力されたキーワードを含むレシピを検索するボタンｂ２と、推奨レシピに合う副菜を選択するためのボタンｂ３と、デザートを選択するためのボタンｂ４とが表示される。なお、初期画面の画面構成は任意に変更して構わない。
【００４４】
初期画面を見た顧客が、推奨レシピに必要な食材の購買を指示するボタンｂ１を選択すると（ステップＳ５）、レシピ選択部４は顧客が推奨レシピを選択したと判断して、例えば図６に示すような買い物画面を表示する（ステップＳ６）。
【００４５】
図６の買い物画面には、推奨レシピの完成写真画像を表示する領域ｄ５と、推奨レシピの材料（食材）を表示する領域ｄ６と、推奨レシピに関連する食材商品を表示する領域ｄ７と、選択した食材商品を買い物かごに入れて購買予約を行うボタンｂ５とが表示される。図６の画面構成も任意に変更して構わない。
【００４６】
推奨レシピに関連する食材商品を表示する領域ｄ７は、各商品名と、価格と、数量とが対応づけられており、顧客が数量を任意に選択することで、その商品の選択の有無と、その商品の購買個数を指定することができる。この領域に表示される各商品名と価格の情報は、レシピ関連食材提供部６が食材情報記憶部５から必要な情報を読み出して表示する。例えば、顧客がすでに、推奨レシピに必要な一部の食材をストックしている場合には、その食材に関連した食材商品の数量をゼロにすればよい。
【００４７】
推奨レシピに関連する特定の食材について、オンラインショップが複数の食材商品を取り扱っている場合は、これら食材商品を推奨レシピとの関連性が高い順に表示するのが望ましい。例えば、豚肉について、産地の異なる複数の食材商品がある場合は、お買い得の食材商品や販促活動を行っている食材食品を優先的に表示してもよい。
【００４８】
また、特定の販売会社が提供する少なくとも一部の食材については、同じ食材を提供する他の販売会社の食材商品を意図的に表示させないようにして、特定の販売会社の食材商品しか選択できないようにしてもよい。これは、他の販売会社の食材商品を使って調理を行うと、食材が同じでも同じ味にならないことがあるためである。あるいは、特定の販売会社の食材商品の販売促進というマーケティング上の事情による場合もある。このような商品名の表示順序と表示する商品名の制御は、レシピ関連食材提供部６が行う。
【００４９】
なお、推奨レシピを作るのに必要な食材の中に、オンラインショップが取り扱っていない食材がある場合は、推奨レシピに関連する食材商品を表示する領域ｄ７に、該当商品がないことが表示される。この表示を見た顧客は、レシピを変更するか、あるいはその食材商品を別の手段で入手する必要がある。
【００５０】
顧客は、図６の買い物画面で食材商品の選択が終わると、買い物かごに入れるボタンｂ５を選択する（ステップＳ７）。これにより、図７に示すように、買い物かごに入れた食材商品の総額が小計として表示される（ステップＳ８）。図６の画面の表示制御は、食材購買予約部７が行う。
【００５１】
この画面には、食材購買支援装置１のウェブサイトの買い物かごに入れた食材商品の種類とその総額を表示する領域だけではなく、このウェブサイトに移行する前にオンラインショップの買い物かごに入れていた商品の情報を表示する領域ｄ８も設けられている。そして、両方の買い物かごの中のすべての商品についての購買金額が合計として表示される。
【００５２】
顧客は、この画面内で、食材商品の変更を行うことが可能であり、その場合は、食材商品の変更後に再計算ボタンｂ６を選択することで、変更後の購買金額が小計および合計にも反映される。
【００５３】
このように、オンラインショップの買い物かごに入れていた商品の情報を数量とともに表示することで、同種の食材商品を誤って二重に購買してしまうおそれを未然に防止できる。
【００５４】
顧客は、買い物かごの内容を確認して、最終的に決済を行うことを希望する場合には、「ネットスーパーに戻る」ボタンｂ７を選択する（ステップＳ９）。このボタン選択により、買い物かご更新制御部８は、食材購買支援装置１のウェブサイトの買い物かごに入っていたすべての食材商品の情報をオンラインショップのウェブサイトに送る制御を行う。これにより、食材購買支援装置１で購買予約をしたすべての食材商品がオンラインショップ側の買い物かごに入れられる（ステップＳ１０）。そして、顧客が選択したオンラインショップのウェブサイトの商品選択画面が表示される（ステップＳ１１）。
【００５５】
図８はオンラインショップの商品選択画面の一例を示す図である。この画面の例えば右側に、オンラインショップの買い物かごの中身が表示される。この買い物かごには、図７の画面で決定ボタンを選択する直前に、図７の２つの買い物かごに入っていたすべての商品が含まれている。
【００５６】
顧客は、この画面上で、新たな商品を選択することで、オンラインショップ上で買い物を続けることができる。この場合、選択した商品は、買い物かごの中身に反映される。図１の食材購買支援装置１のウェブサイトで購入可能な商品は、選択したレシピに関連する食材商品のみであり、その他の種々の商品をまとめて購入したい場合は、図８の商品選択画面で購入することになる。
【００５７】
顧客が図８の画面上の「お会計に進む」ボタンｂ８を選択すると、図９に示すような、買い物かごの詳細情報と金額を含む画面が表示される（ステップＳ１２）。その後は、オンラインショップが定める手順に従って、料金決済を行うことになる。
【００５８】
顧客が最終的に選択したレシピは、自動的あるいは顧客のボタン選択により、Ｅメールで顧客に送信してもよいし、あるいは、最終的に選択したレシピを印刷するためのボタンを設けてもよい。これにより、オンラインで注文した食材商品が顧客の手元に配送された後に、再度レシピ検索をする手間を省くことができる。
【００５９】
ところで、図５の初期画面を見た顧客が、推奨レシピとは別個のレシピに変更したい場合は、例えば、顧客が初期画面の検索キーワード入力欄に任意のキーワードを入力して検索することで、別のレシピの候補の表示と新たなレシピの選択とを行うことができる。この場合、推奨レシピ変更情報表示制御部１３は、新たに選択したレシピの完成写真画像と、そのレシピの材料（食材）と、そのレシピを作るのに必要な食材商品の情報とを同一画面に表示させることになる。
【００６０】
上述した図３、図４、図８および図９の画面はオンラインショップが作成するものであり、オンラインショップの種類によって異なる画面構成になるが、顧客が図３の画面でログインしたオンラインショップで、最終的な料金決済を行うことになる。したがって、図１の食材購買支援装置１の買い物かごに入れた食材商品は、最終的には、顧客が図３の画面でログインしたオンラインショップを介して購買することになる。
【００６１】
図１０は第２の条件により食材購買支援装置１が処理を開始する場合の処理手順の一例を示すフローチャートである。
【００６２】
顧客はまず、レシピ提供サイトにアクセスする（ステップＳ２１）。図１１はレシピ提供サイトの初期（トップ）画面の一例を示す図である。この画面では、種々のやり方で、顧客が望むレシピを検索できるようになっている。なお、図１１の初期画面の画面構成は任意に変更して構わない。
【００６３】
顧客がレシピ提供サイトの画面の指示に従って特定のレシピを選択すると、レシピ選択部４は、図１２に示すように、そのレシピの詳細情報を表す画面を表示する（ステップＳ２２）。図１２の画面には、特定のレシピの完成写真画像を表示する領域ｄ９と、特定のレシピの材料（食材）を表示する領域ｄ１０と、特定のレシピの作り方を表示する領域ｄ１１とが表示される。また、この画面には、このレシピの食材をオンラインで購買できるように、オンラインショップ（例えばネットスーパー）の選択ボタンｂ９が設けられている。この選択ボタンｂ９の表示制御部は、第２リンク表示制御部１４により行われる。
【００６４】
顧客が、この選択ボタンｂ９を選択すると、ショップ選択部１６は、例えば顧客の居住地の郵便番号を入力する欄を画面に表示し、この表示に従って顧客が郵便番号を入力すると、顧客の居住地まで商品を配送可能なオンラインショップの一覧を表示する（ステップＳ２３）。この一覧の表示制御は、ショップ一覧表示制御部１５により行われる。
【００６５】
この表示に従って、顧客が特定のオンラインショップを選択すると（ステップＳ２４）、ショップ選択部１６は、選択したオンラインショップのログイン画面を表示する（ステップＳ２５）。この表示にしたがって、顧客が正当なログイン情報を入力すると、食材購買支援装置１の初期（トップ）画面が表示される（ステップＳ２６）。この初期画面の表示制御は、選択レシピ情報表示制御部１７により行われる。なお、図１２の画面の画面構成は任意に変更して構わない。
【００６６】
図１３はステップＳ２６の画面表示例を示す図である。図１３の画面には、顧客が図１０のステップＳ２２で選択した特定のレシピの情報を表示する領域ｄ１２と、このレシピを作成するのに必要な食材に関連してステップＳ２４で選択したオンラインショップが取り扱っている食材食品を表示する領域ｄ１３と、その他の情報を表示する領域ｄ１４とが設けられている。
【００６７】
特定のレシピの情報を表示する領域ｄ１２は、さらに細かく、このレシピのメニューの完成写真画像を表示する領域ｄ１５と、このレシピの食材を表示する領域ｄ１６と、このレシピの作り方を詳細表示するためのリンクボタンｂ１０とを含んでいる。
【００６８】
食材商品を表示する領域ｄ１３は、各商品名と、価格と、数量とが対応づけられており、顧客が数量を任意に選択することで、その商品の選択の有無と、その商品の購買個数を決定できるようにしている。この領域に表示される商品名と価格は、レシピ関連食材提供部６が食材情報記憶部５から必要な情報を読み出して表示する。
【００６９】
例えば、顧客の自宅に、推奨レシピに必要な一部の食材がある場合には、その食材に関連した食材商品の数量はゼロにすればよい。また、食材商品を表示する領域には、購買予約をして買い物かごに入れる買い物かごボタンｂ１１が設けられている。
【００７０】
その他の情報を表示する領域内に表示される具体的な情報に特に制限はないが、例えば図５に示すように、副菜を選択するための副菜図鑑ボタンｂ１２と、デザートを選択するためのデザートなびボタンｂ１３と、食材に関する任意のキーワードを顧客に入力させる入力欄ｉ２と、顧客が入力したキーワードを含むレシピの検索開始を指示するボタンｂ１４と、お買い得情報を表示させるボタンｂ１５と、顧客が過去に料理を行った献立帳を表示させるボタンｂ１５と、ランキングの高いレシピを表示させるボタンｂ１６と、顧客が最近閲覧したレシピを表示させる領域ｄ１７とを含んでいる。なお、図１３の初期画面の画面構成は任意に変更して構わない。
【００７１】
図１３の初期画面内で食材商品の選択を行って、買い物かごボタンｂ１１を選択すると（ステップＳ２７）食材購買予約部７は、図７と同様の買い物かごの画面を表示し（ステップＳ２８）、それ以降は、図２のステップＳ９〜Ｓ１２と同様の処理が行われる（ステップＳ２９〜Ｓ３２）。
【００７２】
図１３の初期画面に表示されたレシピを見た顧客が、レシピの変更を行いたい場合は、初期画面内のレシピ変更ボタンｂ１８を顧客が選択することで、図５に示すような食材購買支援装置１の初期画面を表示させることができる。この初期画面には、推奨レシピが表示されるとともに、推奨メニューを作るのに必要な食材商品の情報が表示される。この表示制御部は、選択レシピ変更情報表示制御部１８が行う。
【００７３】
このように、本実施形態に係る食材購買支援装置１の処理を開始するには、上述した第１の条件か第２の条件に従って、オンラインショップのウェブサイトを起点とするか、レシピ提供サイトを起点とするかの二通りがあり、食材購買支援装置１の処理を開始する処理手順が異なっているが、最終的には同様の手順を経て、レシピを作成するのに必要な食材商品を顧客が選択したオンラインショップで購買することできる。
【００７４】
次に、本実施形態の特徴の一つであるタイプ分類部２と推奨レシピ提供部３の処理動作について説明する。タイプ分類部２は、各顧客を、少なくとも食事への関心度と調理への関心度の観点で分類し、食事への関心度と調理への関心度の両方とも高い場合は、調理経験度に基づいて複数のタイプに分類する。
【００７５】
このような基準でタイプ分類部２が各顧客を例えば４つのタイプに分類する場合、各タイプと、食事への関心度、調理への関心度および調理経験との対応関係は、例えば図１４のようになる。
【００７６】
タイプ１は、食事への関心は高いが、調理への関心が低いタイプであり、より具体的には、食事やお弁当は買わずにつくるが手の込んだものでなく、冷凍食品なども上手に使い簡単に済ませるタイプである。
【００７７】
タイプ２は、食事への関心は高く、調理への関心も高いが、調理経験が浅いタイプであり、より具体的には、料理サイトや料理本をよく利用しており、レシピ提案を最も重宝するであろうタイプである。
【００７８】
タイプ３は、食事や調理への関心が低く、料理を安く簡易に済ませたいタイプであり、より具体的には、１食あたりの単価が安価なメニューや、調理工程が簡易なメニューを好み、レシピ提供サイト等をあまり利用しないタイプである。
【００７９】
タイプ４は、食事や調理への関心が高く、調理経験も豊富なタイプであり、より具体的には、献立決めにあまり悩んでおらず、レシピのレパートリーも多いタイプである。
【００８０】
この他、図１４に示すように、食事への関心が低くて、調理への関心が高いタイプも理論上は想定しうるが、現実にはこのタイプに属する顧客は想定しづらいため、タイプの割り振りは行っていない。
【００８１】
本実施形態では、上述したタイプ１〜４の特徴をよりわかりやすく、短い言葉で端的に表現するために、タイプ１は堅実料理派、タイプ２は料理意欲旺盛派、タイプ３は簡便・節約派、タイプ４は料理ベテラン派と呼ぶことにする。
【００８２】
タイプ分類部２は、各顧客の食材購買実績に応じて、各顧客をタイプ１〜４のいずれかに振り分ける。各顧客は、必ずしも、本来の自己のタイプに見合った食材を購買するとは限らないため、ある程度食材購買実績が蓄積されるまでは、信頼性の高いタイプ分類はできない可能性がある。そこで、食材の購買回数が例えば５回未満の顧客については、構成割合が最大である特定のタイプ（例えばタイプ２）に割り振る。
【００８３】
食材の購買回数が５回を超えると、顧客が過去にどのような食材を購買したかを示す食材購買実績に基づいて、タイプ分類する。例えば、加工食品はほとんど購買せず、精肉や生野菜等の生鮮食料品を頻繁に購買する顧客は、調理への関心が高いと想定され、また、購買頻度が高いほど食事への関心も高いと想定されることから、生鮮食料品を頻繁に購買する顧客はタイプ２か４に割り振ることが考えられる。
【００８４】
図１の食材購買支援装置１は、顧客ごとの食材の購買回数の管理と判定を行うために、購買回数管理部１９と購買回数判定部２０を備えている。なお、購買回数とは、食材購買支援装置１のウェブサイトを利用してレシピに関連した食材商品を購買した回数である。
【００８５】
次に、顧客の過去の食材購買実績から顧客をタイプ分類する具体的な一手法について説明する。まず、食材を複数のカテゴリーに分類する。カテゴリーとは、例えば農産物、水産物、畜産物、半加工食品、加工食品、菓子類などであり、これらをさらに細かいカテゴリーに分類してもよい。例えば、畜産物を、牛肉、豚肉、鶏肉、挽肉等に分類することが考えられる。
【００８６】
次に、オンラインショップで取り扱っている食材食品を、上述したカテゴリーに分類する。オンラインショップのオリジナル食品や生鮮食料品は、オンラインショップごとに異なるため、少なくとも一部の食材食品のカテゴリー分類は、オンラインショップごとに異なったものになる。
【００８７】
次に、顧客の過去の食材購買実績を参照して、顧客ごとに、下記の（１）式に基づいてカテゴリー別購買金額シェアを算出する。
【００８８】
カテゴリー別購買金額シェア＝当該カテゴリー購買金額の合計÷個人の購買総額  …（１）
【００８９】
上記（１）式の「個人の購買総額」とは、顧客が図１の食材購買支援装置１を利用して食材を購買した各機会ごとの購買総額である。
【００９０】
上記（１）式で算出したカテゴリー別購買金額シェアの数値は、各カテゴリーごとに算出されるため、これらの数値を総合的に勘案して、各顧客をタイプ分類する。
【００９１】
これらの数値から顧客をタイプ分類する具体的なアルゴリズムには、種々のものが考えられるが、特に限定されるものではなく、顧客の反応等により随時見直してもよい。一例としては、生鮮食料品に関するカテゴリー別購買金額シェアが平均的に高い顧客はタイプ２か４に分類し、加工品に関するカテゴリー別購買金額シェアが平均的に高い顧客はタイプ３に分類することが考えられる。
【００９２】
各顧客の食材購買実績だけでは、タイプ分類を正しく行うことができない場合も考えられる。そこで、各顧客に対する事前アンケート、各顧客のレシピの検索履歴、および図７の画面で最終的に選択したレシピの履歴の情報なども加味して、タイプ分類を行ってもよい。
【００９３】
各顧客に対する事前アンケートでは、各顧客の嗜好やライフスタイル、家族構成、年齢などを収集することが考えられる。
【００９４】
また、各顧客のレシピの検索履歴を蓄積した結果、手間のかかるレシピを頻繁に検索や選択をする顧客は、例えばタイプ４に分類することが考えられる。
【００９５】
レシピとタイプとを関連づける一手法として、まずはタイプとコンセプトとの対応づけを行う。コンセプトとは、「スタミナアップ」、「ダイエット」、「なつかしのレシピ」、「プロシェフのレシピ」、「一人暮らし」等のレシピから連想されるキーワードである。例えば、「スタミナアップ」のコンセプトはタイプ１〜３に分類し、「ダイエット」、「なつかしのレシピ」、「プロシェフのレシピ」の各コンセプトはタイプ２と４に分類し、「一人暮らし」のコンセプトはタイプ３に分類する。
【００９６】
一つのコンセプトを複数のタイプに分類しても構わない。タイプとコンセプトの対応づけやコンセプトの種類は、顧客の購買実績、顧客の意見、世間の流行等により、定期的に見直すのが望ましい。
【００９７】
次に、多数のレシピを上述したコンセプトに分類する。例えば、肉を多く使うレシピや高カロリーのレシピは「スタミナアップ」のコンセプトに分類し、野菜中心のレシピは「ダイエット」のコンセプトに分類する。
【００９８】
このように、各レシピをコンセプトに分類することで、上述したタイプとコンセプトの対応づけにより、結果的に、レシピをタイプに分類することができる。
【００９９】
なお、顧客に提示する推奨レシピは、季節、時間帯（朝食、昼食、間食、夕食、夜食など）、顧客が選択したオンラインショップの品揃え、および行事（正月、節分、ひな祭り、彼岸、感謝祭、クリスマス、大晦日、誕生日、結婚記念日、運動会など）の少なくとも一つを考慮に入れて、決定してもよい。
【０１００】
また、顧客の年齢、性別および家族構成の少なくとも一つの情報を例えばオンラインショップ側から受け取って、その情報を利用して、年齢、性別または家族構成に見合った推奨レシピを顧客に提示してもよい。
【０１０１】
以上の手法により、レシピとタイプとの対応づけがなされていれば、顧客の過去のレシピの検索履歴やレシピの選択履歴を用いて、かなり的確に顧客をタイプ分類することが可能となる。
【０１０２】
以上に説明したように、本実施形態に係る食材購買支援装置１は、ネットスーパー等のオンラインショップのウェブサイト上から利用することもできるし、レシピ提供サイト上から利用することもできる。したがって、オンラインショップで食材を購入しようとする顧客と、レシピ提供サイトでレシピを検索しようとする顧客の両方にとって、利便性の高いサービスを提供できる。特に、顧客は、自分が最終的に選択したレシピに必要な食材を簡易かつ迅速にオンラインで注文できるため、買い物に行く手間が省けて、家事に要する時間を短縮できる。
【０１０３】
オンラインショップ側も、今までオンラインショッピングをほとんど利用しなかった顧客を新たに取り込むことができ、売上げ増が図れる。特に、レシピの検索や推奨レシピの提供のサービスは、オンラインショップ側で行わなくて済むため、システム開発にそれほど時間とお金をかけなくて済む。
【０１０４】
また、本実施形態に係る食材購買支援装置１を、顧客が何度か利用すると、顧客ごとの食材購買実績に基づいて顧客を自動的にタイプ分類し、顧客に見合った推奨レシピを提供するため、顧客はレシピの選定に時間をかけなくて済む。
【０１０５】
さらには、本実施形態に係る食材購買支援装置１は、顧客のレシピ検索履歴やレシピ選択履歴を加味して、推奨レシピを検索するため、顧客のライフスタイルや嗜好に合致する推奨レシピを各顧客に提供できる。
【０１０６】
上述した本実施形態に係る食材購買支援装置１の少なくとも一部をソフトウェアで構成する場合には、食材購買支援装置１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０７】
また、電流電圧特性装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０８】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１０９】
１  食材購買支援装置、２  タイプ分類部、３  推奨レシピ提供部、４  レシピ選択部、５  食材情報記憶部、６  レシピ関連食材提供部、７  食材購買予約部、８  買い物かご更新制御部、１１  第１リンク表示制御部、１２  推奨レシピ情報表示制御部、１３  推奨レシピ変更情報表示制御部、１４  第２リンク表示制御部、１５  ショップ一覧表示制御部、１６  ショップ選択部、１７  選択レシピ情報表示制御部、１８  選択レシピ変更情報表示制御部、１９  購買回数管理部、２０  購買回数判定部、２１  カテゴリー割合計算部、２２  食材情報更新部、２３  買い物かご表示制御部
【図１】
2014093064.tif 000003
【図２】
2014093064.tif 000004
【図３】
2014093064.tif 000005
【図４】
2014093064.tif 000006
【図５】
2014093064.tif 000007
【図６】
2014093064.tif 000008
【図７】
2014093064.tif 000009
【図８】
2014093064.tif 000010
【図９】
2014093064.tif 000011
【図１０】
2014093064.tif 000012
【図１１】
2014093064.tif 000013
【図１２】
2014093064.tif 000014
【図１３】
2014093064.tif 000015
【図１４】
2014093064.tif 000016